(57)【要約】【課題】作業員一人で水切り部材の取付け作業が容易にでき、不測の外力を受けても機能を喪失する変形が起こり難い、屋上の防水構造と防水方法を提供する。【解決手段】パラペット１が内壁面２から凹んだ目地部１０を有する。目地部１０は、内壁面２に固定された防水層端部５の上方に位置し水平に延びる。目地部１０の下面は外方が低いテーパ面１０ｃである。本発明の防水構造は、さらに、上端部が目地部１０の内部に固定された水切り部材１２と、目地部１０に充填されたシール部材２０とを備える。水切り部材１２は、一体部品であり、上部固定部１２ａと下部カバー部１２ｂとを有する。上部固定部１２ａは、テーパ面１０ｃに沿って位置し目地部１０の底面１０ａに固定される。下部カバー部１２ｂは、上部固定部１２ａから防水層端部５の外方まで延び下端が防水層端部５より下方に位置する。【選択図】図２
2019019498.tif 000002
【特許請求の範囲】
【請求項１】
パラペットの内壁面に防水層端部が固定され、前記防水層端部がシール材で止水された屋上の防水構造であって、
前記パラペットは、前記内壁面から凹んだ目地部を有し、該目地部は、前記防水層端部の上方に位置し水平に延び、かつ前記目地部の下面は外方が低いテーパ面であり、
上端部が前記目地部の内部に固定された水切り部材と、前記目地部に充填されたシール部材と、を備え、
前記水切り部材は、一体部品であり、前記テーパ面に沿って位置し前記目地部の底面に固定された上部固定部と、該上部固定部から前記防水層端部の外方まで延び下端が前記防水層端部より下方に位置する下部カバー部と、を有する、屋上の防水構造。
【請求項２】
前記上部固定部は、前記目地部の底面に固定された立ち上がり部と、該立ち上がり部の下端から前記テーパ面に沿ってパラペット内壁面の外側近傍まで延びる緩勾配部と、を有し、
前記下部カバー部は、前記テーパ面より大きい勾配を有し前記緩勾配部の外方端から前記防水層端部の外方まで延びる急勾配部と、該急勾配部の外方端から前記防水層端部より下方まで鉛直下方に延びる鉛直部と、を有する、請求項１に記載の屋上の防水構造。
【請求項３】
前記上部固定部は、前記立ち上がり部の下端と前記緩勾配部の上端との間に、前記目地部の内面との間に隙間を形成するＬ字状の折曲げ部を有する、請求項２に記載の屋上の防水構造。
【請求項４】
前記上部固定部は、前記折曲げ部と前記緩勾配部の上端との連結部から前記テーパ面に沿って前記目地部の内側に延びる突起部と、前記折曲げ部の外側表面に設けられ水平に延びる凹溝と、を有する、請求項３に記載の屋上の防水構造。
【請求項５】
端面同士が互いに突き合わされて隣接する１対の前記水切り部材の突き合わせ部を止水する止水カバーを有し、
前記止水カバーは、前記水切り部材の下端に下方から嵌合する下端嵌合部と、１対の前記水切り部材の外面に密着して前記上部固定部の上端近傍まで延びるカバー部とを有する一体部品である、請求項１に記載の屋上の防水構造。
【請求項６】
パラペットの内壁面に防水層端部が固定され、前記防水層端部がシール材で止水された屋上の防水方法であって、
前記パラペットは、前記内壁面から凹んだ目地部を有し、該目地部は、前記防水層端部の上方に位置し水平に延び、かつ前記目地部の下面は外方が低いテーパ面であり、
上部固定部と、該上部固定部から前記防水層端部の外方まで延び下端が前記防水層端部より下方に位置する下部カバー部と、を有する一体部品である水切り部材の前記上部固定部を、前記テーパ面に沿って位置決めし前記目地部の底面に固定する水切り固定工程と、
前記目地部にシール部材を充填して止水する目地部シール工程と、を有する、屋上の防水方法。
【請求項７】
端面同士が互いに突き合わされて隣接する１対の前記水切り部材の突き合わせ部を止水カバーで止水するカバー固定工程を有し、
前記カバー固定工程において、前記止水カバーの下端嵌合部を前記水切り部材の下端に下方から嵌合させ、前記止水カバーのカバー部を１対の前記水切り部材の外面に前記下端から前記上部固定部の上端近傍まで密着させて位置決めし、前記止水カバーの上端部を１対の前記水切り部材に固定する、請求項６に記載の屋上の防水方法。
【発明の詳細な説明】
【技術分野】
【０００１】
本発明は、水切り部材を用いた屋上の防水構造と防水方法に関する。
【背景技術】
【０００２】
パラペットとは、建物のバルコニー等の屋上の周囲に、屋根スラブから立ちあがる形で作られた低い壁である。パラペットは、屋根スラブと壁との接合部分に施された防水層の防水性能を高めるために通常設けられる。
【０００３】
バルコニー等の屋上の防水のため防水シートを用いる場合、防水シートの端部をパラペットの内壁面に固定し端面をシールすることにより、バルコニー等の屋上からの漏水を防止することができる。
しかし、この場合、防水シート端部を押え金物でパラペット内壁面に固定するための釘等により防水シートに穴が開きそこから漏水する可能性がある。また、パラペット内壁面と防水シート端面との間のシール材が劣化すると、そこから漏水する可能性もある。
そこで、従来からバルコニー等の屋上の防水性能をさらに高めるために、種々の防水構造が提案されている（例えば特許文献１，２）。
【０００４】
特許文献１の「パラペットの防水構造」は、水切り金物が、パラペットの側面に当接する立ち上がり部と、立ち上がり部から外方へ下り傾斜の傾斜部と、傾斜部から垂れ下がり外装板の上端部を保持する断面が下向きにコ字形の受け板部とからなる。立ち上がり部がパラペットの側面にビス等の締結具により固定され、水切り金物の受け板部に、スラブ上に立てた外装板の上端部が嵌め込まれ保持される。パラペットの張り出し部と水切り金物との間の目地部は、シール材で防水処理される。
【０００５】
特許文献２の「屋上の防水補修工法、及び同工法で使用する長尺の押さえ金具」は、第１〜第３の工程からなる。第１の工程で屋上床面に施されている既存の防水層の上に新たな防水層を敷設する。第２の工程で、パラペット内壁面の既存防水層の全面と床面の既存防水層上に新設された防水層のパラペット近傍の一定幅部分上にわたって防水シートを貼着する。第３の工程で、防水シートのパラペットからの剥離を防止する長尺の押さえ金具の上部をパラペットのあご部の下面に当接させ、下部をパラペットの内壁面に固着する。この工法で使用する押さえ金具は、パラペットのあご部の下面に当接する部分が、水平面部又は下方に傾斜した庇部を有する。
【先行技術文献】
【特許文献】
【０００６】
【特許文献１】特開２００７−２３１６５９号公報
【特許文献２】特開２０１７−６６８５９号公報
【発明の概要】
【発明が解決しようとする課題】
【０００７】
上述した従来の防水構造は、以下の問題点があった。
【０００８】
（１）水切り部材の取付け作業に作業員二人が必要であり、労務負担が大きい。
特許文献１，２の水切り金物及び押さえ金具（以下、「水切り部材」）は、一人の作業員（位置決め者）が細長い（例えば、定尺２ｍ）の水切り部材をパラペット壁面に押し付けて定位置に位置決めし保持する必要がある。この際、位置決め者は両手を必要とし、片手を離すことができない。そのため、その状態で壁面を穿孔して水切り部材をアンカービスで固定するために別の作業員が必要であり、二人一組で作業する必要があった。
また、水切り部材が短い場合でも、アンカービスは２本必要であり、同様に二人一組で作業する必要があった。
【０００９】
（２）不測の外力により水切り部材が変形するとシール機能を失いやすい。
例えばルーフバルコニーの場合、ユーザーが水切り部材に誤って足先をぶつけたり、子供が足を載せたりすることが想定される。このような場合、特許文献１，２の水切り部材は、内端部のみで全体が支持されているため、不測の外力により全体が変形しやすく、変形によりシール材の機能が失われ漏水する可能性がある。
【００１０】
（３）突き合わせ部の止水施工が困難。
パラペット壁面は、通常、直線部分の他に出隅部や入隅部がある。出隅部や入隅部の場合、その形状に合わせて水切り部材を切断し、水切り部材の端面同士を互いに突き合わせ、突き合わせ部を止水する必要がある。しかし、特許文献１，２の水切り部材の場合、突き合わせ部の止水施工が困難であった。
例えば、出隅部、入隅部の従来のコーナー役物は、工場における手作りのためコストが高い。また、戸建住宅の土台の水切り部材のような差込み式のコーナー材と直線ジョイント材を用いる場合、水切り部材とコーナー材および直線ジョイント材を交互に施工する必要があり、施工に手間がかかる。さらに、水切り部材とコーナー材を被せて取り付ける場合、コーナー材は躯体にアンカービスで固定する必要があり、水切り部材およびコーナー材にドリルで下穴を開け、さらに躯体にもドリルで穿孔するため、工数が増え手間がかかる。
また、突き合わせ部を止水せずに放置すると、その箇所から漏水する可能性があり、かつ水切り部材の切断面が露出しているため、ユーザー（例えば居住者）が怪我をする可能性がある。
【００１１】
本発明は、上述した問題点を解決するために創案されたものである。すなわち、本発明の第１の目的は、作業員一人で水切り部材の取付け作業が容易にでき、不測の外力を受けてもシール機能を喪失する変形が起こり難い、屋上の防水構造と防水方法を提供することにある。また本発明の第２の目的は、突き合わせ部の止水施工が容易である屋上の防水構造と防水方法を提供することにある。
【課題を解決するための手段】
【００１２】
本発明によれば、パラペットの内壁面に防水層端部が固定され、前記防水層端部がシール材で止水された屋上の防水構造であって、
前記パラペットは、前記内壁面から凹んだ目地部を有し、該目地部は、前記防水層端部の上方に位置し水平に延び、かつ前記目地部の下面は外方が低いテーパ面であり、
上端部が前記目地部の内部に固定された水切り部材と、前記目地部に充填されたシール部材と、を備え、
前記水切り部材は、一体部品であり、前記テーパ面に沿って位置し前記目地部の底面に固定された上部固定部と、該上部固定部から前記防水層端部の外方まで延び下端が前記防水層端部より下方に位置する下部カバー部と、を有する、屋上の防水構造が提供される。
【００１３】
また本発明によれば、パラペットの内壁面に防水層端部が固定され、前記防水層端部がシール材で止水された屋上の防水方法であって、
前記パラペットは、前記内壁面から凹んだ目地部を有し、該目地部は、前記防水層端部の上方に位置し水平に延び、かつ前記目地部の下面は外方が低いテーパ面であり、
上部固定部と、該上部固定部から前記防水層端部の外方まで延び下端が前記防水層端部より下方に位置する下部カバー部と、を有する一体部品である水切り部材の前記上部固定部を、前記テーパ面に沿って位置決めし前記目地部の底面に固定する水切り固定工程と、
前記目地部にシール部材を充填して止水する目地部シール工程と、を有する、屋上の防水方法が提供される。
【発明の効果】
【００１４】
上記本発明によれば、パラペットは、内壁面から凹んだ目地部を有し、目地部は、防水層端部の上方に位置し水平に延び、かつ目地部の下面は外方が低いテーパ面である。また、水切り部材は、上部固定部と、上部固定部から防水層端部の外方まで延び下端が防水層端部より下方に位置する下部カバー部と、を有する一体部品であり、その上部固定部を、テーパ面に沿って位置決めし目地部の底面に固定する。
本発明によれば、水切り部材の上部固定部を、目地部のテーパ面に載せるので、目地部に嵌め込んだ状態で水切り部材を位置決めすることができる。また、その状態で、作業員一人で立ち上がり部の一部を目地部の底面に順に固定することで、水切り部材全体を定位置に固定することができる。
従って、本発明によれば、水切り部材を目地部に嵌め込むため、従来のように、水切り部材を壁面に押し付けて定位置に保持する作業員が不要となり、労務の負担を軽減できる。
【００１５】
また、本発明によれば、水切り部材の上部固定部が目地部の底面とテーパ面に密着しているので、水切り部材に作用する水平力は上部固定部とこれを固定するアンカービスで支持され、下向きの力は上部固定部に接するテーパ面で支持される。
従って、ユーザーが水切り部材に足先をぶつけたり、子供が足を載せたりした場合でも、上部固定部は変形せず、水切り部材の変形は、下部カバー部に限定されるため、水切り部材及び目地部に充填されたシール部材は損傷を受けずシール機能を維持することができる。
【図面の簡単な説明】
【００１６】
【図１】本発明による屋上の防水構造を示す側面図である。
【図２】図１のＡ部の拡大図である。
【図３】水切り部材の模式的斜視図である。
【図４】突き合わせ部の止水構造を示す図２と同様の側面図である。
【図５】止水カバーの模式的斜視図である。
【図６】本発明による屋上の防水方法の全体フロー図である。
【発明を実施するための形態】
【００１７】
以下、本発明の好ましい実施形態を添付図面に基づいて詳細に説明する。なお、各図において共通する部分には同一の符号を付し、重複した説明を省略する。
【００１８】
図１は、本発明による屋上の防水構造を示す側面図である。
この図において、１はパラペット、２はパラペット１の内壁面（以下、「パラペット内壁面」）、３は屋上の躯体上面、４は屋上の防水層である。なお、屋上は、バルコニー又はルーフバルコニーであってもよい。
【００１９】
図１において、パラペット１は、建物の躯体の一部であり、好ましくは一体的に形成されている。
防水層４は、躯体上面３からパラペット内壁面２まで、連続的に設けられている。防水層４は、この例では、躯体上面側から順に積層された屋上防水シート４ａ，４ｂ，４ｃからなる。屋上防水シート４ａは、パラペット内壁面２に防水層を形成するものであり、屋上防水シート４ｂは、屋上防水シート４ａにより形成された防水層を保護するため二重貼りになっている。屋上防水シート４ｃは、躯体上面３を覆う防水シートである。
なお、バルコニー等の屋上には、防水層の上に断熱層を設けるため、それを押えるコンクリートを打設する。
【００２０】
図２は、図１のＡ部の拡大図である。
この図において、本発明による屋上の防水構造は、パラペット内壁面２に固定された防水層端部５と、防水層端部５を止水するシール材６と、を有する。
この例において、防水層端部５は、押え金物７とビス８によってパラペット内壁面２との間に挟持され、隙間が生じないように押し付けた状態でパラペット内壁面２に固定されている。
【００２１】
この構成により、シール材６、押え金物７、及びビス８の機能が維持されている限り、パラペット内壁面２と防水層端部５との隙間からの雨水の侵入を防止して、屋上からの漏水を防止することができる。
【００２２】
図２において、パラペット１は、パラペット内壁面２から凹んだ目地部１０を有する。
目地部１０は、防水層端部５の上方に位置し、パラペット１の全体にわたり水平（図で紙面に垂直）に延びている。
この例で、目地部１０の底面１０ａ（図で左端面）は鉛直面であり、上面１０ｂは水平面である。なお、底面１０ａと上面１０ｂは、この形状に限定されず、底面１０ａに水切り部材１２の立ち上がり部１３ａ（後述する）を固定できる限りで、その他の形状であってもよい。
図２において、目地部１０の下面１０ｃは、外方が低いテーパ面１０ｃに形成されている。テーパ面１０ｃの水平に対する下り勾配は、例えば１５度（好ましくは５〜２０度）である。この角度は、後述する水切り部材１２の緩勾配部１３ｂをテーパ面１０ｃに沿って位置決めした際に、摩擦により水切り部材１２をその位置に保持できるように設定するのがよい。
【００２３】
上述した目地部１０は、躯体の一部であるパラペット１を形成する際に予め形成することが好ましい。また、既設のパラペット１に追加工して目地部１０を形成してもよい。
【００２４】
図２において、本発明による防水構造は、さらに、上端部が目地部１０の内部に固定された水切り部材１２と、目地部１０に充填されたシール部材２０と、を備える。
【００２５】
水切り部材１２は、一体部品であり、上部固定部１２ａと下部カバー部１２ｂとを有する。
【００２６】
上部固定部１２ａは、テーパ面１０ｃに沿って位置し目地部１０の底面１０ａに固定される。
上部固定部１２ａは、目地部１０の底面１０ａに固定された立ち上がり部１３ａと、立ち上がり部１３ａの下端からテーパ面１０ｃに沿ってパラペット内壁面２の外側近傍まで延びる緩勾配部１３ｂと、を有する。
立ち上がり部１３ａは、図の使用状態で目地部１０の底面１０ａに接触する鉛直部であり、目地部１０の底面１０ａに例えばアンカービス９で固定される。
【００２７】
なお、図２において、立ち上がり部１３ａの上端を上面１０ｂまで延ばし、或いは上面１０ｂに接触する傾斜部を付加して、上部固定部１２ａが目地部１０に固定されるように構成してもよい。
【００２８】
下部カバー部１２ｂは、テーパ面１０ｃより大きい勾配を有し緩勾配部１３ｂの外方端から防水層端部５の外方まで延びる急勾配部１３ｃと、急勾配部１３ｃの外方端から防水層端部５より下方まで鉛直下方に延びる鉛直部１３ｄと、を有する。
また鉛直部１３ｄの下端は、水切れを良くしかつ端部の剛性を高めるため、内側に折り曲げられている。
なお、下部カバー部１２ｂの断面形状はこの例に限定されず、例えば急勾配部１３ｃと鉛直部１３ｄの間に円弧部を設けてもよい。
【００２９】
水切り部材１２は、好ましくはアルミ製（アルミニウムまたはその合金）であり、断面形状が一定の定尺部材（例えば２ｍ）であるのがよい。
また、ユーザーが水切り部材１２に足先をぶつけたり、子供が足を載せたりした場合でも、上部固定部１２ａは変形せず、かつ下部カバー部１２ｂの変形も少なくなるように、水切り部材１２の板厚を設定するのがよい。水切り部材１２の板厚は、例えば１．１〜２ｍｍ（この例では１．５ｍｍ）である。
また、図２に示すように、水切り部材１２の鉛直部１３ｄは、押え金物７の前面から間隔（例えば５〜１０ｍｍ）を隔てて位置し、下部カバー部１２ｂが内側に変形した場合でも押え金物７により鉛直部１３ｄが防水層端部５に接触しないように設定するのがよい。
【００３０】
上述した構成により、パラペット１の上部からパラペット内壁面２に沿って下降する雨水は、シール部材２０の表面から上部固定部１２ａと下部カバー部１２ｂの外面に沿って自重で下降し、下部カバー部１２ｂの下方に落下する。
また、水切り部材１２に直接降り注ぐ雨水も、同様に、上部固定部１２ａと下部カバー部１２ｂの外面に沿って自重で下降し、下部カバー部１２ｂの下方に落下する。
従ってこの構成により、上述したシール材６、押え金物７、及びビス８の機能の一部が劣化等により損傷を受けても、パラペット内壁面２と防水層端部５との隙間への雨水の侵入を防止して、屋上からの漏水を防止することができる。
【００３１】
図３は、水切り部材１２の模式的斜視図である。
この図において、上部固定部１２ａの緩勾配部１３ｂは、図２の使用状態で目地部１０のテーパ面１０ｃの下り勾配と同一の勾配を有し、テーパ面１０ｃに密着して延びる。
また下部カバー部１２ｂの急勾配部１３ｃは、緩勾配部１３ｂの外方に位置しテーパ面１０ｃより大きい勾配を有する。
緩勾配部１３ｂと急勾配部１３ｃの接続位置は、図２の使用状態でパラペット内壁面２に近い外側（パラペット内壁面２から５〜１０ｍｍの位置）であるのがよい。
また、急勾配部１３ｃの水平に対する下り勾配は、例えば３０度（好ましくは２５〜６０度）である。この角度は、ユーザー（例えば子供）がこの部分に足を載せた場合でも、足先が滑ってその上に載れないように設定するのがよい。
【００３２】
図３において、水切り部材１２は、立ち上がり部１３ａの下端と緩勾配部１３ｂの上端との間に、Ｌ字状の折曲げ部１４を有する。折曲げ部１４は、図２の使用状態で目地部１０の内面との間に隙間１１を形成する。
この隙間１１は、後述する止水カバー１８の上端部を折曲げ部１４にドリルビス１９で固定した際に、ドリルビス１９の先端部により目地部１０の内面に傷が付かないように設定するのがよい。
【００３３】
折曲げ部１４は、この例では、使用状態で水平な水平部１４ａと、外面が斜め上方に向いたカバー支持部１４ｂとからなる。カバー支持部１４ｂの法線の水平に対する上向き角度は、例えば１５度（好ましくは５〜２０度）である。この角度は、後述する止水カバー１８の上端部をカバー支持部１４ｂにドリルビス１９でビス止めする際に、作業しやすいように設定するのがよい。
【００３４】
図３において、水切り部材１２は、さらに、突起部１５と凹溝１６とを有する。
【００３５】
突起部１５は、折曲げ部１４（この例ではカバー支持部１４ｂ）と緩勾配部１３ｂの上端との連結部からテーパ面１０ｃに沿って目地部１０（隙間１１）の内側に延びる。
この突起部１５により、止水カバー１８の上端部をカバー支持部１４ｂにドリルビス１９でビス止めする際に、カバー支持部１４ｂに作用する内向きの力を水平部１４ａと突起部１５の２箇所で両端支持し、折曲げ部１４の変形を抑制することができる。
【００３６】
また凹溝１６は、折曲げ部１４（この例ではカバー支持部１４ｂ）の外側表面に設けられ水平に延びる。凹溝１６の断面形状はＶ溝であるのが好ましいが、その他の形状（例えば半円溝）であってもよい。
この凹溝１６により、止水カバー１８の上端部をカバー支持部１４ｂにドリルビス１９でビス止めする際に、ビス先端がカバー支持部１４ｂの外側表面に沿って滑るのを防止し、ビス止め作業を容易にすることができる。
【００３７】
図４は、突き合わせ部の止水構造を示す図２と同様の側面図である。また、図５は、止水カバー１８の模式的斜視図である。
図４と図５において、本発明による防水構造は、さらに、止水カバー１８を有する。
【００３８】
止水カバー１８は、好ましくは樹脂製の一体部品であり、下端嵌合部１８ａとカバー部１８ｂとを有する。
下端嵌合部１８ａは、上方が開いたＵ字状部分であり、水切り部材１２の下端（鉛直部１３ｄの下端の折曲部）と嵌合する内面を有し、水切り部材１２の下端に下方から嵌合する。
カバー部１８ｂは、１対の水切り部材１２の外面（下部カバー部１２ｂ及び上部固定部１２ａ）に密着して上部固定部１２ａの上端近傍（立ち上がり部１３ａの下端近傍）まで延びる。また、カバー部１８ｂの上端には、折曲げ部１４のカバー支持部１４ｂに使用状態で密着するカバー固定部１８ｃが設けられている。
【００３９】
止水カバー１８は、端面同士が互いに突き合わされて隣接する１対の水切り部材１２の突き合わせ部を止水する機能を有する。
止水カバー１８は、この機能を満たすため、隣接する１対の水切り部材１２の両方に密着するように、構成されている。なお、止水カバー１８と１対の水切り部材１２との間にシール材を設けてもよい。
【００４０】
なお図５の止水カバー１８は、直線部用であり、１対の水切り部材１２の両方に密着するように全体として必要なシール幅の２倍以上の幅を有する。
また、出隅部用の止水カバー１８は、出隅部で隣接する１対の水切り部材１２の両方に密着するように、必要なシール幅の止水カバー１８が交差した形状であるのがよい。入隅部用の止水カバー１８も同様である。
上述した直線部用、出隅部用、及び入隅部用の止水カバー１８は、それぞれ別個に製造された樹脂製の一体部品であるのがよい。
【００４１】
図６は、本発明による屋上の防水方法の全体フロー図である。
本発明の防水方法は、図１におけるパラペット１の内壁面２に防水層端部５が固定され、防水層端部５がシール材６で止水された屋上を対象とする。
また、パラペット１には防水層端部５の上方に位置し水平に延び、下面の外方が低いテーパ面１０ｃである目地部１０が予め形成されている。
なお目地部１０は、躯体の一部であるパラペット１を形成する際に予め形成することが好ましいが、既設のパラペット１に追加工して目地部１０を形成してもよい。
【００４２】
本発明による屋上の防水方法は、防水層端部５からの漏水を防止する方法であり、Ｓ１〜Ｓ４の各工程（ステップ）を有する。
ステップＳ１（水切り固定工程）では、水切り部材１２の上部固定部１２ａを、テーパ面１０ｃに沿って位置決めし、目地部１０の底面１０ａに例えばアンカービス９で固定する。この際、水切り部材１２の緩勾配部１３ｂをテーパ面１０ｃに載せた状態で、水切り部材１２の立ち上がり部１３ａを目地部１０に嵌め込み、立ち上がり部１３ａを目地部１０の底面１０ａに固定するのがよい。
【００４３】
ステップＳ２（カバー固定工程）では、端面同士が互いに突き合わされて隣接する１対の水切り部材１２の突き合わせ部を止水カバー１８で止水する。
カバー固定工程において、最初に止水カバー１８の下端嵌合部１８ａを水切り部材１２の下端に下方から嵌合させる。次いで、止水カバー１８のカバー部１８ｂを１対の水切り部材１２の外面に下端から上部固定部１２ａの上端近傍（立ち上がり部１３ａの下端近傍）まで密着させて位置決めする。最後に、止水カバー１８の上端部（カバー固定部１８ｃ）を１対の水切り部材１２にドリルビス１９で固定する。
【００４４】
ステップＳ３（目地部シール工程）では、目地部１０にシール部材２０を充填して止水する。
【００４５】
上述した本発明の実施形態によれば、パラペット１は、内壁面２から凹んだ目地部１０を有し、目地部１０は、防水層端部５の上方に位置し水平に延び、かつ目地部１０の下面は外方が低いテーパ面１０ｃである。
また、水切り部材１２は、上部固定部１２ａと下部カバー部１２ｂとを有する一体部品であり、その上部固定部１２ａを、テーパ面１０ｃに沿って位置決めし目地部１０の底面１０ａに固定する。
【００４６】
本発明によれば、水切り部材１２の上部固定部１２ａを、目地部１０のテーパ面１０ｃに載せるので、目地部１０に嵌め込んだ状態で水切り部材１２を位置決めすることができる。また、その状態で、作業員一人で立ち上がり部１３ａの一部を目地部１０の底面１０ａに順に固定することで、水切り部材全体を定位置に固定することができる。
従って、本発明によれば、水切り部材１２を目地部１０に嵌め込むため、従来のように、水切り部材１２を壁面に押し付けて定位置に保持する作業員が不要となり、労務の負担を軽減できる。
【００４７】
また、本発明によれば、水切り部材１２の上部固定部１２ａが目地部１０の底面１０ａとテーパ面１０ｃに密着している。これにより、水切り部材１２に作用する水平力は上部固定部１２ａとこれを固定するアンカービス９で支持され、下向きの力は上部固定部１２ａに接するテーパ面１０ｃで支持される。
従って、ユーザーが水切り部材１２に足先をぶつけたり、子供が足を載せたりした場合でも、上部固定部１２ａは変形せず、水切り部材１２の変形は、下部カバー部１２ｂに限定される。これにより、水切り部材１２及び目地部１０に充填されたシール部材２０は損傷を受けずシール機能を維持することができる。
【００４８】
なお、本発明の範囲は上述した実施形態に限定されず、特許請求の範囲の記載によって示され、さらに特許請求の範囲の記載と均等の意味および範囲内でのすべての変更を含むものである。
【符号の説明】
【００４９】
１  パラペット、２  内壁面（パラペット内壁面）、３  躯体上面、４  防水層、
４ａ，４ｂ，４ｃ  屋上防水シート、５  防水層端部、６  シール材、
７  押え金物、８  ビス、９  アンカービス、１０  目地部、１０ａ  底面、
１０ｂ  上面、１０ｃ  下面（テーパ面）、１１  隙間、１２  水切り部材、
１２ａ  上部固定部、１２ｂ  下部カバー部、１３ａ  立ち上がり部、１３ｂ  緩勾配部、
１３ｃ  急勾配部、１３ｄ  鉛直部、１４  折曲げ部、１４ａ  水平部、
１４ｂ  カバー支持部、１５  突起部、１６  凹溝、１８  止水カバー、
１８ａ  下端嵌合部、１８ｂ  カバー部、１８ｃ  カバー固定部、１９  ドリルビス、
２０  シール部材
【図１】
2019019498.tif 000003
【図２】
2019019498.tif 000004
【図３】
2019019498.tif 000005
【図４】
2019019498.tif 000006
【図５】
2019019498.tif 000007
【図６】
2019019498.tif 000008